(57)【要約】      （修正有）【課題】使用する人の利便性を飛躍的に高めるとともに、汎用性及び多機能性を高め、また、容易かつ低コストのステッキを提供する。【解決手段】ステッキＳを使用する人の衣類Ｃに着脱し、かつ外側面２ｓに一方の面ファスナ３を設けた付着部２と、ステッキＳの上端部Ｓｕに着脱し、かつ外側面４ｓに一方の面ファスナ３に対して着脱する他方の面ファスナ５を設けた被付着部４を備える。被付着部４は、ステッキＳのシャフト部Ｓｓの上方から当該シャフト部Ｓｓの軸方向に逆Ｕ状に装着する第一装着部１１と、第一装着部１１の両端間に取付け、かつシャフト部Ｓｓの周方向に装着する第二装着部１２と、第二装着部１２の両端間に設け、シャフト部Ｓｓに対して第二装着部１２を固定し又は固定を解除する固定部を備える。【選択図】図１
0003113069.tif 000002
【実用新案登録請求の範囲】
【請求項１】
ステッキを使用する人の衣類に着脱し、かつ外側面に一方の面ファスナを設けた付着部と、前記ステッキの上端部に着脱し、かつ外側面に前記一方の面ファスナに対して着脱する他方の面ファスナを設けた被付着部を備えてなることを特徴とするステッキ用倒れ防止具。
【請求項２】
前記被付着部は、前記ステッキにおけるシャフト部の上方から当該シャフト部の軸方向に逆Ｕ状に装着する第一装着部と、この第一装着部の両端間に取付け、かつ前記シャフト部の周方向に装着する第二装着部と、この第二装着部の両端間に設け、前記シャフト部に対して前記第二装着部を固定又は固定を解除する固定部を備えることを特徴とする請求項１記載のステッキ用倒れ防止具。
【請求項３】
前記固定部には、ネームプレート部及び／又は反射面部を有するアタッチメントを設けることを特徴とする請求項１記載のステッキ用倒れ防止具。
【考案の詳細な説明】
【技術分野】
【０００１】
本考案は、お年寄り等が使用するステッキを一時的に保持するためのステッキ用倒れ防止具に関する。
【背景技術】
【０００２】
一般に、お年寄り等が歩行する際に歩行を補助するために使用する棒状のステッキは知られている。
【考案の開示】
【考案が解決しようとする課題】
【０００３】
しかし、ステッキを使用するお年寄り等が、両手を使いたい場合、ステッキの置場所がなければ、ステッキの存在自体が邪魔になってしまうとともに、たとえ置場所があったとしても、壁等に立て掛けた場合には、不安定ゆえに倒れてしまうことも多く、身体の不自由なお年寄り等にとっては、かなりの不便が強いられる。
【０００４】
本考案は、このような背景に鑑みたものであり、ステッキを使用する人の利便性を飛躍的に高めることができるとともに、汎用性及び多機能性に富み、しかも、容易かつ低コストに実施できるステッキ用倒れ防止具の提供を目的とする。
【課題を解決するための手段】
【０００５】
本考案に係るステッキ用倒れ防止具１は、上述した課題を解決するため、ステッキＳを使用する人Ｈの衣類Ｃに着脱し、かつ外側面２ｓに一方の面ファスナ３を設けた付着部２と、ステッキＳの上端部Ｓｕに着脱し、かつ外側面４ｓに一方の面ファスナ３に対して着脱する他方の面ファスナ５を設けた被付着部４を備えることを特徴とする。
【０００６】
この場合、考案の好適な態様により、被付着部４は、ステッキＳにおけるシャフト部Ｓｓの上方から当該シャフト部Ｓｓの軸方向に逆Ｕ状に装着する第一装着部１１と、この第一装着部１１の両端間に取付け、かつシャフト部Ｓｓの周方向に装着する第二装着部１２と、この第二装着部１２の両端間に設け、シャフト部Ｓｓに対して第二装着部１２を固定し又は固定を解除する固定部１３を備えて構成できる。また、固定部１３には、ネームプレート部及び／又は反射面部を有するアタッチメント１４を設けることができる。
【０００７】
このステッキ用倒れ防止具１は、ステッキＳとは別体に構成するため、任意のステッキＳに対して着脱することができる。使用する際には、付着部２を、ステッキＳを使用する人Ｈの衣類Ｃ、例えば、ベルトＣｂに装着するとともに、被付着部４を、ステッキＳの上端部Ｓｕに装着すればよく、これにより、付着部２の外側面２ｓに、被付着部４の外側面４ｓを当接させれば、面ファスナ３，５の機能により、付着部２に被付着部４を付着、即ち、ステッキＳを使用する人Ｈの衣類Ｃ上に、ステッキＳの上端を仮固定することができる。
【考案の効果】
【０００８】
このような手法による本考案に係るステッキ用倒れ防止具１によれば、次のような顕著な効果を奏する。
【０００９】
（１）  ステッキの使用時に両手を使いたい場合、何時でも何処でも、必要に応じてを両手を空けることができるため、ステッキを使用する人の利便性を飛躍的に高めることができる。
【００１０】
（２）  任意のステッキに対していわば後付けにより着脱できるため、汎用性に富むとともに、構成が簡易なため、容易かつ低コストに実施できる。
【００１１】
（３）  好適な態様により、被付着部を、ステッキにおけるシャフト部の上方から当該シャフト部の軸方向へ逆Ｕ状に装着する第一装着部と、この第一装着部の両端間に取付け、かつシャフト部の周方向に装着する第二装着部と、この第二装着部の両端間に設け、シャフト部に対して第二装着部を固定又は固定を解除する固定部により構成すれば、特に、被付着部を、ステッキの上端部の表面に沿って装着できるため、ステッキの機能を低下させる不具合を回避できる。
【００１２】
（４）  好適な形態様により、固定部に、ネームプレート部及び／又は反射面部を有するアタッチメントを設けることができるなど、多機能性を高めることができる。
【考案を実施するための最良の形態】
【００１３】
次に、本考案に係る最良の実施形態を挙げ、図面に基づき詳細に説明する。
【００１４】
まず、本実施形態に係るステッキ用倒れ防止具１の構成について、図１〜図４を参照して説明する。
【００１５】
ステッキ用倒れ防止具１は、ステッキＳに対して別体に構成した付着部２と被付着部４からなる。この場合、ステッキＳは、図３及び図５に示すように、シャフト部Ｓｓと、このシャフト部Ｓｓの上端に設けたグリップ部Ｓｔからなり、シャフト部Ｓｓの長さは、操作リングＳｒ（図５参照）の操作により調整できる。なお、グリップ部Ｓｔとシャフト部Ｓｓにより、ステッキＳの全体形状は、Ｔ状となる。
【００１６】
一方、ステッキ用倒れ防止具１を構成する付着部２は、図２に示すように、厚手の布材を円盤形に形成する。そして、一方の面（外側面２ｓ）のほぼ全面には、図１に示すように、一方の面ファスナ３を設ける。また、他方の面（内側面）には、図２に示すように、一つのベルト通し部２１を縫付けるとともに、この上側の位置には、安全ピンＰを通すピン通し部２２を縫付ける。
【００１７】
他方、被付着部４は、外側面４ｓに、一方の面ファスナ３に対して着脱する他方の面ファスナ５を設けたものであり、ステッキＳの上端部Ｓｕに着脱できる。具体的には、図４（図１及び図３）に示すように、ステッキＳにおけるシャフト部Ｓｓの上方から当該シャフト部Ｓｓの軸方向へ逆Ｕ状に装着する第一装着部１１と、この第一装着部１１の両端間に取付け、かつシャフト部Ｓｓの周方向に装着する第二装着部１２と、この第二装着部１２の両端間に設け、シャフト部Ｓｓに対して第二装着部１２を固定し又は固定を解除する固定部１３を備える。
【００１８】
この場合、第一装着部１１の外面が外側面４ｓとなり、この外側面４ｓのほぼ全面に、他方の面ファスナ５を設ける。第一装着部１１と第二装着部１２は、短冊状の布材を用いて形成できる。また、固定部１３は、両端を、第二装着部１２の両端にそれぞれ縫付けた紐２３と、この紐２３が挿通し、かつ紐２３の任意の位置に係止するストッパ２４を備える。ストッパ２４は、ボタン２４ｓを有し、このボタン２４ｓを押せば、紐２３に対する係止を解除できるとともに、押すのを止めれば、紐２３に係止させることができる。
【００１９】
さらに、固定部１３の紐２３を利用して、アタッチメント１４を吊下げることができる。実施形態は、小判形に形成した紛失防止用のネームプレート部を示す。アタッチメント１４は自由であり、例えば、夜間歩行時の安全性を高める反射面部であってもよいし、全体を反射面部とし、その一部にネームプレート部を設けてもよい。その他、連絡先カードやキーホルダ等の任意のアタッチメント１４を吊下げることができる。なお、夜間歩行時の安全性をより高めるため、図３に示すように、グリップ部Ｓｔの内部に、懐中電灯Ｌを内蔵させてもよい。即ち、グリップ部Ｓｔの一端面Ｓｔｓにレンズ５１を設け、その内部に電球５２を配設する。また、グリップ部Ｓｔの内部には、電池ケース部５３を内蔵する。これにより、グリップ部Ｓｔの他端面Ｓｔｔに設けたキャップ部５４を開閉して、電池ケース部５３に電池を収容又は電池ケース部５３から電池を取出すことができる。なお、キャップ部５４に、懐中電灯Ｌの点灯スイッチ５５を付設することができる。
【００２０】
次に、本実施形態に係るステッキ用倒れ防止具１の使用方法について、図１〜図５を参照して説明する。
【００２１】
このステッキ用倒れ防止具１は、任意のステッキＳに対して着脱できる。したがって、使用する際には、付着部２を、ステッキＳを使用する人Ｈの衣類Ｃに装着する。この場合、図２に示すように、付着部２のベルト通し部２１に、ベルトＣｂを通して使用することにより、容易に装着できる。図５に装着した状態を示す。なお、ベルトＣｂを使用しない場合には、図２に示すピン通し部２２に取付けた安全ピンＰを利用して衣類Ｃにおける任意の位置に装着できる。
【００２２】
一方、被付着部４は、ステッキＳの上端部Ｓｕに装着する。この場合、図４に示すように、固定部１３に備えるストッパ２４のボタン２４ｓを押し、ストッパ２４を紐２３の先端側（第二装着部１２から離れる側）へ移動させ、この状態で、ステッキＳのグリップ部Ｓｔを、紐２３と第二装着部１２により形成されるループの中に下から挿入し、さらに、第二装着部１２と第一装着部１１により形成されるループの中に挿入する。そして、ストッパ２４のボタン２４ｓを押し、ストッパ２４を紐２３に沿って第二装着部１２側へ移動させれば、シャフト部Ｓｓに対して第二装着部１２を固定できる。これにより、図１及び図３に示すように、第一装着部１１は、シャフト部Ｓｓの上方からグリップ部Ｓｔに対して、シャフト部Ｓｓの軸方向へ逆Ｕ状に装着できるとともに、第二装着部１２は、シャフト部Ｓｓの周方向に装着できる。即ち、被付着部４を、ステッキＳの上端部Ｓｕに装着することができる。
【００２３】
よって、図５（図１）に示すように、ステッキＳの上端部Ｓｕに装着した被付着部４を、ベルトＣｂに装着した付着部２に当接させれば、面ファスナ３，５の機能により、付着部２に被付着部４を付着させることができる。即ち、ステッキＳを使用する人Ｈの衣類Ｃ上に、ステッキＳの上端を仮固定できる。したがって、何時でも何処でも、必要に応じてを両手を空けることができ、ステッキＳを使用する人Ｈの利便性を飛躍的に高めることができる。特に、被付着部４は、ステッキＳの上端部Ｓｕの表面に沿って装着するため、ステッキＳの機能を低下させてしまう不具合は生じない。また、任意のステッキＳに対していわば後付けにより着脱できるため、汎用性に富むとともに、被付着部４を利用して、ネームプレート部や反射面部等のアタッチメント１４を設けることができるため、多機能性に富む。しかも、構成が簡易なため、容易かつ低コストに実施できる。
【００２４】
以上、最良の実施形態について詳細に説明したが、本考案は、このような実施形態に限定されるものではなく、細部の構成，形状，素材等において、本考案の要旨を逸脱しない範囲で任意に変更，追加，削除することができる。例えば、固定部１３は紐２３とストッパ２４により構成した場合を示したが、ストッパ２４を設けることなく、第二装着部１２の両端に取付けた一対の紐を単に結べるようにしてもよいし、面ファスナやボタン等の他の形態の固定部を用いてもよい。
【図面の簡単な説明】
【００２５】
【図１】本考案の最良の実施形態に係るステッキ用倒れ防止具の正面図、
【図２】同ステッキ用倒れ防止具における付着部をベルトに装着した状態を示す内側面図、
【図３】同ステッキ用倒れ防止具における被付着部をステッキに装着した状態を示す側面図、
【図４】同ステッキ用倒れ防止具における被付着部の斜視図、
【図５】同ステッキ用倒れ防止具の使用説明図、
【符号の説明】
【００２６】
１    ステッキ用倒れ防止具
２    付着部
２ｓ  付着部の外側面
３    一方の面ファスナ
４    被付着部
４ｓ  被付着部の外側面
５    他方の面ファスナ
１１  第一装着部
１２  第二装着部
１３  固定部
１４  アタッチメント
Ｓ    ステッキ
Ｈ    ステッキを使用する人
Ｃ    衣類
Ｓｕ  ステッキの上端部
Ｓｓ  シャフト部
【図１】
0003113069.tif 000003
【図２】
0003113069.tif 000004
【図３】
0003113069.tif 000005
【図４】
0003113069.tif 000006
【図５】
0003113069.tif 000007